(57)【要約】【課題】  コンクリート構造物には今、課題が多い。高架橋のコンクリートが剥がれ落ちたとか、鉄筋が露出したとか又、ビルの外壁のヒビ割れとか、モルタルが剥がれ落ちたとかの事例は、日常茶飯事となっている。コンクリートの耐用年数は１００年以上だと言われながら、この現実を直視する時、コンクリートの構造物に於ける築造技術には、まだまだ改良すべき点が多い事が良くわかる。【解決手段】  これらの課題は、すべてコンクリートの表面で起きる問題である。つまり、コンクリートの表面が酸性雨に侵される事や、モルタルやタイル貼りが剥離する事、それからコンクリートの表面の美装の問題であるが、これらの問題は全て、現在のコンクリート構造物が表面組織を持たない裸体構造である事に起因している。本発明は、コンクリートの表面を石材で被覆する事で、これらの問題を一挙に解決するものである。【選択図】      図１
2005023751.tif 000002
【特許請求の範囲】
【請求項１】
コンクリート造の構造物を築造する時にコンクリートを造形する手段として、装飾的表面を有する石材の板材を型枠材として設置し、コンクリート打設後は、該石材の板材は組織的に、コンクリートと一体化することにより、更には該石材がコンクリート構造物の表面被覆材となる工法。
【請求項２】
装飾的表面を有する石材の板材Ａをコンクリート構造物の垂直面に於ける型枠材として利用する場合には、サイコロ状の石材にアンカーボールトを埋め込んだ取付ボルト装置Ｐを板材Ａの裏面に適宜数、接着剤で取付けて置き、これに取付け材としてアングル材、或いは取付け用棒鋼等をボルト留め、又は溶接等によって緊結して板材Ａを型枠材として固定する工法
【請求項３】
装飾的表面を有する石材の板材Ｂをコンクリート構造物の水平面又は斜面に於ける型枠材として利用する場合には請求項２と同じく取付ボルト装置Ｐを取付けて板材Ｂを固定するが、この場合にコンクリートを打設する時の垂直荷重については板材Ｂの下部に支保工を設置して施工する一連の工法。
【請求項４】
築造するコンクリート構造物の規模が大きく、或いは特異な構造等のため、請求項２及び請求項３の工法のみではコンクリートの打設応力に対処出来ない場合には、補助的工法として、板材Ａ又は板材Ｂの外面部に角型鋼管等のバタ材を取り付けて、セパレートボールトで緊結する方法を併用する事で解決するものとするが、この場合にセパレートボールトがコンクリートを貫通する部分に、塩ビ管をサヤ管として取り付けて置き、コンクリート打設後にセパレートボールトを撤去するまでの一連の工法
【発明の詳細な説明】
【技術分野】
【０００１】
本発明は、コンクリート構造物の築造に際して石材を仕上げ材とする場合の工法に関する。
【背景技術】
【０００２】
コンクリート構造物の築造に際して、外壁や内壁等を石張りとする場合に従来の工法は、コンクリート工事完了後に石材をモルタル、又は接着剤で貼り付けたり、或いは乾式工法として、石材をボルトやビス等で取りつける工法である。
【発明の開示】
【発明が解決しようとする課題】
【０００３】
従来のこのような技術には種々の課題があり、先ず石材をモルタルで接着する場合には、コンクリートの躯体とモルタルとの材質の相違や材令の問題、又化学的不適合等の問題があって、剥離する度合いが高く又、化学的接着材を利用する場合には、接着剤の耐候性の問題があり、信頼性は低く、ボルト・ビス等を利用して取付ける乾式方法は、現在では一般的に行われているが、地震等の耐力について不安があると言われている。
【０００４】
又一方で近年、高架橋やトンネル等の土木工事に於いて、コンクリートが剥がれ落ちたとか、鉄筋が露出したとか、或いは又、ビルの外壁がヒビ割れたとかの事例が後を絶たないが、これらはコンクリートが環境汚染物質による酸性雨によって表面部が劣化する事が原因であると言われているが、これらの問題は、コンクリーと構造物が表面組織を持たない裸体構造である事に起因していると考えられる。
【課題を解決するための手段】
【０００５】
（課題を解決する為の手段１）
本発明はこれらの課題を解決する方法として、仕上げ材としての石材を躯体コンクリートと同時に打設し、仕上げ材の石材と躯体コンクリートを一体化させる事によって、コンクリートを石材で被覆する工法であり、これによってコンクリートと表面仕上げ材としての石材は同一組成となり、剥離等の恐れは無くなる。
【０００６】
（課題を解決する為の手段２）
課題の第２点としてのコンクリート表面で起きる問題に付いては、コンクリート構造物の表面部においてコンクリートが酸性雨や、大気中に含まれる化学物質等によって浸食されるという因果関係を遮断する方法としても、石材被覆工法は石材の持つ優れた物理的特性によって、確実に機能するものである。石材は、構造用材としては数千年の歴史がある事から又、耐候性に於いてはコンクリートの比ではなく、耐化学物質性能についてもコンクリートの数倍はあると言われており、コンクリートの表面を石材で被覆する事でこれらの課題を解決するものである。
【発明の効果】
【０００７】
（発明の効果その１）
本発明の効果の第1点はコンクリートの表面を石材で被覆する事により、太陽光線や大気が、直接コンクリートに接しない事を目的とし、コンクリートの劣化の原因とされている紫外線と大気汚染から、コンクリートを保護する事であり、従ってコンクリートの劣化を原因とするトラブルや仕上げ工程の不具合等はすべて解決できる。
【０００８】
（発明の効果その２）
第２点はコンクリート構造物の美化についてであるが、高速道や新幹線の高架橋、或いはトンネル等の土木構造物が、煤と埃でどす黒く汚れていたり、又一般建築物の外壁のヒビ割れや、剥離等は、これらを研磨した石材で被覆する構造にすれば、外観の仕上がりは、圧倒的な秀麗さを見せると共に、以後の清掃管理も軽微な費用となる。
【０００９】
（発明の効果その３）
第３点は本発明の経済性についてであるが、石材被覆工法を採用すると、その分、従来の型枠工事は不要となり、結果的に工費では大差が無く、又工期的にも大差が無いので、効果その１と効果その２に示す成果が大部分生かされる事となる。
【００１０】
（発明の効果その４）
第４点として本発明は、従来の型枠工事に使用されていた木材その他の材料を使用しない事で、環境負荷を軽減する効果があり、又省資源化の工法でもある。
【発明を実施するための最良の形態】
【００１１】
発明の実施の方法について図面を参照して説明する。図2は取付ボルト装置Ｐの詳細図であるが、サイコロ状の石材片ＳにはアンカーボールトＢがケミカルアンカーとして埋め込んであり、この取付ボルト装置Ｐを石材の型枠材Ａ又はＢの裏面に接着剤で取付けて、図1に示す如く、アンカーボールトＢに鋼材のアングル材Ｑや又は棒鋼等を取り付けて、石材Ａ又はＢを型枠材として緊結固定する。
【００１２】
請求項４に規定する工法の場合は、図３に示す如く、補助的な緊結方法として石材の板材Ａの接続面に設ける目地部分に棒鋼のセパレートボールトを貫通させて、石材の板材Ａの外部に取り付ける角型鋼管を、通常の工法で取りつけて緊結する。この場合にセパレートボールトをコンクリートに埋め込むと、石材の表面に錆が出て来るので、セパレートボールトには塩ビ管をサヤ管として装着しておき、コンクリート硬化後にセパレートボールトを撤去する。
【図面の簡単な説明】
【００１３】
【図１】石材の板材Ａの組立てと緊結方法を示す側面図と正面図である。
【図２】石材の板材Ａ又はＢを組立てて緊結する為の取り付ボルト装置Ｐの取り付状況を示す側面図と平面図である。
【図３】石材の板材Ａ又はＢを組立てる場合の補強方法を示す図である。
【符号の説明】
【００１４】
Ａ    装飾的表面を有する石材の板材Ａ
Ｂ    装飾的表面を有する石材の板材Ｂ
Ｈ    装飾的表面を有する石材の板材の高さ
Ｊ    取付ボルト装置Ｐに取り付けるアングルピース
Ｐ    取付ボルト装置
Ｑ    取付ボルト装置を介して石材を固定するアングル材
Ｓ    取付ボルト装置の土台である石材の小片
Ｔ    取付ボルト装置のアンカーボルト
ｔ１  装飾的表面を有する石材の板材の厚さ
ｔ２  取付ボルト装置の土台である石材の小片の厚さ
Ｗ    装飾的表面を有する石材の板材の幅
【図１】
2005023751.tif 000003
【図２】
2005023751.tif 000004
【図３】
2005023751.tif 000005